(57)【特許請求の範囲】
【請求項１】
外容器（１０）と、
前記外容器（１０）にヒンジ結合して上下に開閉する蓋（２０）と、
前記外容器（１０）の内側に装着する容器本体（３０）と、
前記容器本体（３０）の上部中央に結合するポンプ（５０）と、
前記ポンプ（５０）の上部に結合し、内容物排出孔（６３）が形成された排出板（６０）とにより構成され、
前記容器本体（３０）は、下部には通気孔（３１）を貫設し、内部には、内容物を収容する空間部（４１）を有する伸縮性材料製の内容物容器（４０）を挿入し、前記内容物容器（４０）の上端を容器本体の上部に載置し、容器本体の上部に結合するミドルキャップ（３５）により固定して、排出板（６０）の弾性加圧作動によるポンプ（５０）のポンピング動作により、内容物容器（４０）を徐々に圧縮しながら内容物を排出板の内容物排出孔（６３）に排出するように構成し、
前記内容物容器（４０）は、下縁に形成される丸み湾曲部（４２）と、底部に、ミドルキャップ（３５）の下部中央のポンプ収容部（３６）の外側の位置で上下に屈曲形成される少なくとも一つ以上の環状屈曲部（４３）とを備えることにより、内容物容器を丸み湾曲部から徐々に圧縮するように誘導し、
前記内容物容器（４０）の底部内面には、放射状に突設される離間突起（４４）を備えることにより、内容物容器の圧縮時にミドルキャップのポンプ収容部（３６）の外壁面から内容物を排出するための離間間隙（ｔ）を形成することを特徴とする、排出ポンプ内蔵型ファンデーション容器。
【請求項２】
前記外容器（１０）は、前面に形成された組立孔（１１）内で蓋（２０）を開閉するためのボタン（１２）の挿入状態を固定するために、結合リング体（１５）に結合し、
前記結合リング体（１５）の背面に、円周方向に切り込まれた切り込み溝（１６）と、蓋（２０）を開ける初期段階でテンション力を与えるために切り込み溝の中央から突出するテンション突起（１７）とを一体に形成することを特徴とする、請求項１に記載の排出ポンプ内蔵型ファンデーション容器。
【請求項３】
前記ポンプ（５０）のピストンロッドの上部に結合する分配板（５５）の上部に、中央の内容物供給孔（５６）からの内容物の排出を案内する第１分岐路（５７ａ）と、前記第１分岐路の末端から異なる方向に分岐して内容物の排出を案内し、末端に排出板（６０）の内容物排出孔（６３）が位置合わせされて配置される少なくとも一つ以上の第２分岐路（５７ｂ）とを有する分岐路（５７）を、等角度間隔で放射状に形成することにより、内容物を排出板に均等に分散排出できるように構成したことを特徴とする、請求項１に記載の排出ポンプ内蔵型ファンデーション容器。
【請求項４】
前記容器本体（３０）、ミドルキャップ（３５）、内容物容器（４０）、ポンプ（５０）および排出板（６０）を結合して一体化した詰め替え容器部（１００）を、外容器（１０）内に挿入することで詰め替え可能に構成し、
前記外容器（１０）は、
底部に形成される環状の組立孔（１３）と、前記組立孔の上部に形成され、上部から下部に向かって傾斜する傾斜部（１４ａ）を有する係止段（１４）とを備え、
前記容器本体（３０）は、
下部外側に形成され、外容器の組立孔（１３）に離脱しないように挿入され、下縁に丸み部（３２ａ）を有するリング状の結合突起（３２）と、前記結合突起の上部に形成され、外容器（１０）の内底部に載置される載置突起（３３）とを備えることを特徴とする、請求項１に記載の排出ポンプ内蔵型ファンデーション容器。
【請求項５】
前記外容器（１０）は、上部底部の円周上に形成されるローレット部（１８）をさらに備え、前記容器本体（３０）は、載置突起（３３）の底面に形成され、前記ローレット部（１８）と係合して回転を防止する支持突起（３４）をさらに備えることを特徴とする、請求項４に記載の排出ポンプ内蔵型ファンデーション容器。
【請求項６】
前記排出板（６０）の外側の下部に形成される係止突起（６１ａ）と、前記係止突起の上部に形成される係止溝（６１ｂ）とを有する係止部（６１）を、等角度間隔で形成し、
前記ミドルキャップ（３５）の外側で、排出板の係止突起（６１ａ）を支持して下部および一方の側への回転を規制する下部支持突起（３７ａ）と、排出板の上部を支持する上部支持突起（３７ｂ）と、他方の側に形成された切り込み溝（３７ｄ）によって内外側にテンション作動すると共に係止動作する側部支持突起（３７ｃ）とを有する支持部（３７）を、係止部（６１）に対応する等角度間隔で形成することにより、
最初使用時には、排出板の係止部（６１）を強制的に回転させて支持部の側部支持突起（３７ｃ）から取り外し、排出板のロック状態を解除してポンプを作動させるように構成したことを特徴とする、請求項１又は請求項４に記載の排出ポンプ内蔵型ファンデーション容器。
【発明の詳細な説明】
【技術分野】
【０００１】
本発明は、容器本体の上部の排出板を押して、ポンプのポンピング動作により容器本体内部の内容物を吐き出して使用する排出ポンプ内蔵型ファンデーション容器に係り、さらに詳しくは、容器本体内の、伸縮性素材からなる内容物容器に内容物（中身）を収容し、ポンプのポンピング動作により、内容物容器を下部外側から中央に向かって徐々に圧縮しながら内容物を均等に分散排出することにより、従来の容器よりも内容物の残量を最小限に抑える排出ポンプ内蔵型ファンデーション容器に関する。
【背景技術】
【０００２】
一般に、ファンデーションは肌の色を均一にし、欠点をカバーするために使用されるベースメーキャップに該当し、固形、液状またはゲル状に分類される。
【０００３】
前記固形ファウンデーションの場合、カバー力は高いが化粧直しの際に絡まってしまう短所があり、液状ファウンデーションの場合は、密着感は良いが持続力が弱い短所がある。このため、最近は相当な持続力がありながら、皮膚に塗布した際に密着感が良いゲル状ファウンデーションを好む消費者が多くなっている。
【０００４】
このようなゲル状ファンデーションは、従来、ガラス容器やチューブ容器に入れて使用する際に使用者が手に取り出したり絞り出したりしてパフや手を用いて皮膚に塗布する方式で使われていた。しかしながら、これは、使用者が使用するたびに手に化粧料をつけるので、毎回手を洗わなければならないなど使用上の不便さがあった。
【０００５】
かかる問題を解決するためのものとして、韓国登録実用新案第２０−０４７０７５７号公報（特許文献１）には、エアレスポンプを有するコンパクト容器が開示されている。しかし、これは、外容器と蓋との間で容器本体、ポンプ、排出板を結合構成して、前記排出板を弾性的に押すことにより容器本体内の化粧内容物をポンピングして排出板に吐出させてパフなどで取って使用するため、使用時に手が汚れる心配がないのはもちろん、簡単に持ち運ぶことができる。
【０００６】
しかし、前記従来のエアレスポンプを有する容器は、ポンプのポンピング動作時に容器本体内の内容物を効果的に吐き出すために、容器本体内の底部にピストンを設けることにより、ポンプのポンピング動作時にピストンが上昇しながら内容物を吐き出すようにしたが、前記ピストンタイプの場合、ピストンの水平不良により気密性が低下し、化粧内容物の最終残量をすべて吐き出すことが困難であるため、使用者の満足度が大きく低下するという問題があった。
【０００７】
また、前記容器本体内に伸縮性を有するゴム製の内容物容器を収納して、ポンプのポンピング動作時に内容物容器を圧縮して内容物を吐き出すようにしたが、前記内容物容器の場合、気密性には優れているが、内容物容器がポンプのポンピング力による圧縮が不均一であり、且つ、特に内容物排出孔の周囲で最初に圧縮されて内容物の排出を妨げるため、内容物の吐出供給が円滑に行われないという問題があり、しかも、まだ内容物の最終残量が多いため、使用満足度が低下するという問題があった。
そこで、本出願人は、伸縮性を有するゴム製の内容物容器を使用するが、内容物の吐出供給が均一で円滑に行われることはもとより、ポンプのポンピング動作により均一に圧縮変形しながら、内容物の最終残量を最小限に抑えられるように改善する製品の開発研究に取り組んできた。
【先行技術文献】
【特許文献】
【０００８】
【特許文献１】韓国登録実用新案第２０−０４７０７５７号公報
【特許文献２】韓国登録実用新案第２０−０４８０１９４号公報
【特許文献３】韓国登録実用新案第２０−０４８１４８１号公報
【発明の概要】
【発明が解決しようとする課題】
【０００９】
本発明は、上記の従来技術の諸問題を解決するためになされたものであり、容器本体内の、伸縮性素材の内容物容器に内容物を収容し、ポンプのポンピング動作により、内容物容器を下部外側から中央に向かって徐々に圧縮しながら内容物を排出板に均等に分散排出することにより、従来の容器よりも内容物の残量を最小限に抑え、内容物を均等に排出して使用でき、優れた使用効率性を提供するところにその目的がある。
【００１０】
本発明は、容器本体、ミドルキャップ、内容物容器、ポンプ、および排出板を結合して一体化した詰め替え容器部を、外容器内に挿入するだけで詰め替えができるので、経済性および効率性に優れているところにその目的がある。
【００１１】
本発明は、排出板とミドルキャップの係止部、支持部によるロック構造により、ポンプの加圧作動は最初の使用時には行われず、排出板を回転させてロックを解除した後にのみ、ポンプ加圧によるポンピング動作が可能となるので、誤動作を防ぐところにその目的がある。
【課題を解決するための手段】
【００１２】
上記目的を達成するために、本発明は、外容器と、前記外容器にヒンジ結合して上下に開閉する蓋と、前記外容器の内側に装着する容器本体と、前記容器本体の上部中央に結合するポンプと、前記ポンプの上部に結合し、内容物排出孔が形成された排出板とにより構成されており、前記容器本体は、下部には通気孔を貫設し、内部には、内容物を収容する空間部を有する伸縮性材料製の内容物容器を挿入し、前記内容物容器の上端を容器本体の上部に載置し、容器本体の上部に結合するミドルキャップにより固定して、排出板の弾性加圧作動によるポンプのポンピング動作により、内容物容器を徐々に圧縮しながら内容物を排出板の内容物排出孔に排出するように構成するとことにその特徴がある。
【００１３】
本発明によれば、前記内容物容器は、下縁に形成される丸み湾曲部と、底部に、ミドルキャップの下部中央のポンプ収容部の外側の位置で上下に屈曲形成される少なくとも一つ以上の環状屈曲部とを備えることにより、内容物容器を丸み湾曲部から徐々に圧縮するように誘導するところにその特徴がある。
【００１４】
本発明によれば、前記内容物容器の上部底面には、放射状に突設される離間突起を備えることにより、内容物容器の圧縮時にミドルキャップのポンプ収容部の外壁面から内容物を排出するための離間間隙を形成するところにその特徴がある。
【００１５】
本発明によれば、前記外容器は、前面に形成された組立孔内で蓋を開閉するためのボタンの挿入状態を固定するために、結合リング体に結合し、前記結合リング体の背面に、円周方向に切り込まれた切り込み溝と、蓋を開ける初期段階でテンション力を与えるために切り込み溝の中央から突出するテンション突起とを一体に形成するところにその特徴がある。
【００１６】
本発明によれば、前記ポンプのピストンロッドの上部に結合する前記分配板の上部に、中央の内容物供給孔からの内容物の排出を案内する第１分岐路と、前記第１分岐路の末端から異なる方向に分岐して内容物の排出を案内し、末端に排出板の内容物排出孔が位置合わせされて配置される少なくとも一つ以上の第２分岐路とを有する分岐路を、等角度間隔で放射状に形成することにより、内容物を排出板に均等に分散排出できるように構成するところにその特徴がある。
【００１７】
本発明によれば、前記容器本体、ミドルキャップ、内容物容器、ポンプおよび排出板を結合して一体化した詰め替え容器部を、外容器内に挿入することで詰め替え可能に構成し、前記外容器は、底部に形成される環状の組立孔と、前記組立孔の上部に形成され、上部から下部に向かって傾斜する傾斜部を有する係止段とを備え、前記容器本体は、下部外側に形成され、外容器の組立孔に離脱しないように挿入され、下縁に丸み部を有するリング状の結合突起と、前記結合突起の上部に形成され、外容器の内底部に載置される載置突起を備えるところにその特徴がある。
【００１８】
本発明によれば、前記外容器は、上部底部の円周上に形成されるローレット部をさらに備え、前記容器本体は、載置突起の底面に形成され、前記ローレット部と係合して回転を防止する支持突起をさらに備えるところにその特徴がある。
【００１９】
本発明によれば、前記排出板の外側の下部に形成される係止突起と、前記係止突起の上部に形成される係止溝とを有する係止部を、等角度間隔で形成し、且つ、前記ミドルキャップの外側で、排出板の係止突起を支持して下部および一方の側への回転を規制する下部支持突起と、排出板の上部を支持する上部支持突起と、他方の側に形成された切り込み溝によって内外側にテンション作動すると共に係止動作する側部支持突起とを有する支持部を、係止部に対応する等角度間隔で形成することにより、最初使用時には、排出板の係止部を強制的に回転させて支持部の側部支持突起から取り外し、排出板のロック状態を解除してポンプを作動させるように構成するところにその特徴がある。
【発明の効果】
【００２０】
本発明によれば、容器本体内に、化粧内容物を収容する伸縮性材料製の内容物容器を結合してミドルキャップにより固定し、前記内容物容器は、下縁に形成される丸み湾曲部と、下部中央に上下に屈曲形成される環状屈曲部と、上部底面に放射状に突設される離間突起とを備えることにより、ポンプのポンピング動作時に内容物容器を下縁の丸み湾曲部から徐々に均一に圧縮でき、且つ、内容物容器が圧縮変形されても、最小限の内容物を排出するための離間隙間が確保されるので、内容物を円滑に排出することができ、しかも、分配板および排出板の分岐構造により、化粧内容物を均等に分散排出することができ、従来よりも内容物の残量を最小限に抑えることができ、その結果、使用効率性を高めることができる。
【００２１】
また、本発明は、容器本体、ミドルキャップ、内容物容器、ポンプおよび排出板を結合して一体化した詰め替え容器部を外容器内に挿入するだけで詰め替えができるので、経済性及び効率性に優れており、且つ、前記排出板とミドルキャップの係止部、支持部によるロック構造により、ポンプの加圧作動は最初の使用時には行われず、排出板を回転させてロックを解除した後にのみ、ポンプ加圧によるポンピング動作が可能となるので、誤作動を防ぐことができ、また、誤作動による化粧内容物の排出による容器及び容器周辺の汚染を防ぐことができる。
【図面の簡単な説明】
【００２２】
【図１】本発明の容器を示す外観斜視図である。
【図２】図１の蓋開放状態を示す外観斜視図である。
【図３】図１の半断面斜視図である。
【図４】図１の正断面図である。
【図５】図４の「Ａ」の部分拡大図である。
【図６】図４の「Ｂ」の部分拡大図である。
【図７】図４の「Ｃ」の部分拡大図である。
【図８】本発明の容器の分解斜視図である。
【図９】本発明の内容物容器の半分断面斜視図である。
【図１０】本発明の内容物容器がミドルキャップのポンプ収容部の外側に密着した状態を示す要部平面図である。
【図１１】本発明の分配板を示す平面図である。
【図１２】本発明ミドルキャップの半断面斜視図である。
【図１３】本発明の詰め替え容器部の結合前後の構造を示す半断面斜視図である。
【図１４】本発明の詰め替え容器部のロック構造を示す要部分解斜視図である。
【図１５】図１４の動作前後の構造を示す要部正面図である。
【図１６】本発明の容器の内容物の吐出使用状態を示す断面図である。
【発明を実施するための形態】
【００２３】
以下、添付図面に基づき、上記の本発明の好適な実施形態について詳細に説明する。
【００２４】
本発明の排出ポンプ内蔵型ファンデーション容器は、図１乃至図１５に示すように、外容器１０と、前記外容器１０にヒンジ結合して上下に開閉する蓋２０と、前記外容器１０の内側に装着する容器本体３０と、前記容器本体３０の上部中央に結合するポンプ５０と、前記ポンプ５０の上部に結合し、内容物排出孔６３が形成された排出板６０とにより構成されてなる。
【００２５】
特に、前記容器本体３０は、下部には通気孔３１を貫設し、内部には、内容物を収容する空間部４１を有する伸縮性材料（例えば、化粧内容物の変質を防止するウレタンなどのゴム材料）製の内容物容器４０を挿入し、前記内容物容器４０の上端を容器本体の上部に載置し、容器本体の上部に結合するミドルキャップ３５により固定して、排出板６０の弾性加圧作動によるポンプ５０のポンピング動作により、内容物容器４０を徐々に圧縮しながら内容物を排出板の内容物排出孔６３に排出するように構成する。
【００２６】
前記内容物容器４０は、下縁に形成される丸み湾曲部４２と、底部に、ミドルキャップ３５の下部中央のポンプ収容部３６の外側の位置で上下に屈曲形成される少なくとも一つ以上の環状屈曲部４３とを備えることにより、内容物容器を丸み湾曲部から徐々に圧縮するように誘導する。
【００２７】
また、前記内容物容器４０の上部底面には、放射状に突設される離間突起４４を備えることにより、内容物容器の圧縮時にミドルキャップのポンプ収容部３６の外壁面から内容物を排出するための離間間隙ｔを形成する。
【００２８】
前記外容器１０は、前面に形成された組立孔１１内で蓋２０を開閉するためのボタン１２の挿入状態を固定するために、結合リング体１５に結合する。
【００２９】
前記ボタン１２は、左右のテンション片１２ａと、その上部に突設され、蓋のロック溝２１に係止してロック動作を行うためのロック突起１２ｂとを備える。
【００３０】
また、前記結合リング体１５の背面に、円周方向に切り込まれた切り込み溝１６と、蓋２０を開ける初期段階でテンション力を与えるために切り込み溝の中央から突出するテンション突起１７とを一体に形成することにより、テンション突起を別個に構成する従来の場合と比較して、構造を単純化し、且つ、切り込み溝１６空間によるテンション作動をさらに改善する。
【００３１】
前記ポンプ５０は、ミドルキャップの下部中央のポンプ収容部３６の底部に形成される貫通孔３６ａを開閉する逆止弁（チェックバルブ）５１と、前記ポンプ収容部内の固定ピストン５２と、前記固定ピストン内を上下に移動することにより化粧内容物の排出通路を開閉するピストンロッド５３と、前記ピストンロッドの上端に結合され、ポンプ排出される内容物を分配する分配板５５とにより構成される。前記分配板５５は、排出板下部の結合溝６５に超音波接合により接合される。
【００３２】
ここで、前記分配板５５の上部に、中央の内容物供給孔５６からの内容物の排出を案内する第１分岐路５７ａと、前記第１分岐路の末端から異なる方向に分岐して内容物の排出を案内し、末端に排出板６０の内容物排出孔６３が位置合わせされて配置される少なくとも一つ以上の第２分岐路５７ｂとを有する分岐路５７を、等角度間隔で放射状に形成することにより、内容物を排出板に均等に分散排出できるように構成する。
【００３３】
一方、本発明の容器は、前記容器本体３０、ミドルキャップ３５、内容物容器４０、ポンプ５０および排出板６０を結合して一体化した詰め替え容器部１００を、外容器１０内に挿入することで詰め替え可能に構成する。
【００３４】
前記外容器１０は、底部に形成される環状の組立孔１３と、前記組立孔の上部に形成され、上部から下部に向かって傾斜する傾斜部１４ａを有する係止段１４とを備える。前記容器本体３０は、下部外側に形成され、外容器の組立孔１３に離脱しないように挿入され、下縁に丸み部３２ａを有するリング状の結合突起３２と、前記結合突起の上部に形成され、外容器の内底部に載置される載置突起３３とを備える。
【００３５】
ここで、前記外容器１０は、上部底部の円周上に形成されるローレット部１８をさらに備え、前記容器本体３０は、載置突起３３の底面に形成され、前記ローレット部１８と係合して回転を防止する支持突起３４をさらに備えていてもよい。
【００３６】
かかるローレット部１８および支持突起３４の構成により、排出板６０のロック解除動作中に、容器本体３０が外容器１０に対して緩むのを防止することができる。
【００３７】
また、本発明の容器は、最初に提供されたとき、排出板６０によるポンプ５０のポンピン動作がロック構造によって制限されて誤作動を防止するように組み立て構成されるものであり、前記ロック構造では、排出板６０の外側の下部に形成される係止突起６１ａと、前記係止突起の上部に形成される係止溝６１ｂとを有する係止部６１を、等角度間隔で形成し、且つ、前記ミドルキャップ３５の外側で、排出板の係止突起６１ａを支持して下部および一方の側への回転を規制する下部支持突起３７ａと、排出板の上部を支持する上部支持突起３７ｂと、他方の側に形成された切り込み溝３７ｄによって内外側にテンション作動すると共に係止動作する側部支持突起３７ｃとを有する支持部３７を、係止部６１に対応する等角度間隔で形成することにより、最初使用時には、排出板の係止部６１を強制的に回転させて支持部の側部支持突起３７ｃから取り外し、排出板のロック状態を解除してポンプを作動させるように構成する。
【００３８】
ここで、前記排出板６０を強制的に回転させると、外容器１０のローレット部１８と容器本体３０の支持突起３４とが係合することにより、ミドルキャップ３５、内容物容器４０及び容器本体３０の回転が防止される。
【００３９】
未説明符号７１および７２は弾性ばね、８０はパフをそれぞれ示す。
【００４０】
以下、上記構成による本発明の作動および作用について説明する。
【００４１】
まず、外容器１０の前面にあるボタン１２を押して蓋２０のロックを解除する。
【００４２】
このように、外容器の内側に結合された結合リング体１５のテンション突起１７がロック解除された蓋２０を押し、使用者は蓋２０を完全に開けるために部分的に開いた蓋２０を回転させる。
【００４３】
このとき、前記結合リング体１５のテンション突起１７は、ウレタンゴムなどを別途に装着する従来の構造とは異なり、結合リング体１５に一体に形成された簡単な構造で作動するものであり、前記結合リング体の背面で円周方向に切り込まれた切り込み溝１６の中央にテンション突起１７を一体に突設することにより、組み立て構造を簡素化し、且つ、切り込み溝１６によって前記テンション突起１７にテンションがかけられて開放の初期段階で蓋を効果的に押して開放することができる。
【００４４】
このように、前記蓋２０を開けた後、パフ８０によって排出板６０を押してポンプ５０を作動させることができる。最初使用時には、排出板６０がロック構造によってロックされてポンプが作動できないので、初期使用前に内容物の流出を防止することができる。
【００４５】
このため、最初使用時には排出板のロック構造を解除しなければならない。図１５に示すように、排出板６０の係止突起６１ａは、ミドルキャップ３５の下部支持突起３７ａ、上部支持突起３７ｂ、および側部支持突起３７ｃの間のスペースに挿入されて支持されるため、前記排出板６０の下降および回転が制限されたロック状態であり、この状態で、使用者は、前記排出板６０を側部支持突起３７ｃの方向に強制的に回転させる。
【００４６】
このとき、前記側部支持突起３７ｃが切り込み溝３７ｄによって内外側にテンション作動すると、排出板の係止突起６１ａが回転して支持状態から外れる。前記排出板を、前記排出板の係止溝６１ｂに挿入されている上部支持突起３７ｂの回転が制限される位置まで強制的に回転させると、前記排出板の係止突起６１ａの下部が下部支持突起３７ａから完全に外れて位置し、弾性的に下降できるロック解除状態になる。
【００４７】
ここで、前記排出板６０を強制的に回転させると、外容器のローレット部１８と容器本体の支持突起３４とが係合しているため、ミドルキャップ３５、内容物容器４０、および容器本体３０の回転が防止される。
【００４８】
上述したように、ロック解除状態では、前記排出板６０をパフ８０とともに弾性的に押圧してポンプ５０を作動させて、容器本体内の内容物容器４０に収容されている化粧内容物を吐き出して使用する。
【００４９】
具体的には、前記排出板６０が弾性ばね７１、７２により弾性的に下降および上昇して復帰する過程で、分配板５５およびピストンロッド５３が下降した後、弾性的に上昇するポンピング動作により、逆止弁５１は、ポンプ収容部３６の底部に貫設された孔３６ａを開放し、同時に前記容器本体内の内容物容器４０を圧縮して内容物を吐き出することにより、前記内容物が通孔３６ａおよびポンプの排出通路を通って分配板５５−排出板６０に排出される。
【００５０】
前記容器本体内部の内容物容器４０は、伸縮性材料から形成されてポンプのポンピング力によって圧縮される。前記内容物容器４０は、底部に、ミドルキャップ３５の下部中央のポンプ収容部３６の外側で上下に屈曲形成される環状屈曲部４３と、下縁に形成される丸み湾曲部４２とを備えるので、内容物容器を、屈曲部が形成された中央場所ではなく、下縁の丸み湾曲部４２から徐々に圧縮しながら内容物を排出する。
【００５１】
言い換えれば、前記内容物容器４０が下縁から徐々に圧縮され、その後、中央の屈曲部４３が伸縮しながら徐々に圧縮されるため、内容物容器の化粧内容物を全体的に均等に圧縮し、排出するように誘導する。
【００５２】
特に、前記内容物容器４０の上部底面には、放射状に突設される離間突起４４を備えているので、前記底面が圧縮されてミドルキャップのポンプ収容部３６の外壁面に密着する場合でも、前記離間突起によって内容物容器とポンプ収容部の外壁との間に離間隙間ｔが形成されるため、最終残量の内容物が残らずスムーズに排出されるように誘導される。
【００５３】
また、前述したように、ポンプのポンピング動作により排出される内容物は、ポンプの分配板５５の上部中央の内容物供給孔５６を通って、内容物供給孔から放射状に形成された分岐路の第１分岐路５７ａと、前記第１分岐路の末端から異なる方向に分岐する少なくとも一つ以上の第２分岐路５７ｂとに分岐排出された後、前記第２分岐路の末端から上部排出板の内容物排出孔６３に分散排出されるため、化粧内容物は、パフ８０の下部全体に均等に分配されて均一に付けられる。
【００５４】
このように、前記パフ８０の下部全体に化粧内容物が均一に付けられるので、化粧をより効率的に行うことができる。
【００５５】
一方、前記使用方法により化粧内容物をすべて使い切ると、容器全体を再購入することなく、容器本体３０、ミドルキャップ３５、内容物容器４０、ポンプ５０および排出板６０を一体に結合した詰め替え容器部１００を、外容器１０内に結合するだけで詰め替えができる。
【００５６】
すなわち、前記外容器１０の上部の蓋２０を開いた状態で、使用済みの容器本体３０、ミドルキャップ３５、内容物容器４０、ポンプ５０および排出板６０を押して外容器の底部の組立孔１３から強制的に引き離し、その後、新しい詰め替え容器部１００を結合する。
【００５７】
図１３に示すように、容器本体３０、ミドルキャップ３５、内容物容器４０、ポンプ５０および排出板６０が一体化された詰め替え容器部１００を、外容器１０の上部から内部に挿入して結合する。
【００５８】
このとき、前記詰め替え容器部１００の容器本体３０の下部外側に形成されたリング状の結合突起３２を、下縁の丸み部３２ａによって、外容器１０の底部の係止段１４の傾斜部１４ａに強制的に挿入することにより、容器本体の載置突起３３が外容器１０の内底部に載置し、結合突起３２が組立孔１３に挿入されて係止段１４により離脱しないように組み立てられ、前述したように、再使用可能になる。
【００５９】
以上、本発明を添付図面を参照して説明したが、本発明はこれに限定されるものではなく、下記の特許請求の範囲を逸脱しない範囲内で様々な修正及び変更が可能であることはもちろんである。
【符号の説明】
【００６０】
１０    外容器
１１    組立孔
１２    ボタン
１３    組立孔
１４    係止段
１４ａ  傾斜部
１５    結合リング体
１６    切り込み溝
１７    テンション突起
１８    ローレット部
２０    蓋
３０    容器本体
３１    通気孔
３２    結合突起
３２ａ  丸み部
３３    載置突起
３４    支持突起
３５    ミドルキャップ
３６    ポンプ収容部
３７    支持部
３７ａ  下部支持突起
３７ｂ  上部支持突起
３７ｃ  側部支持突起
３７ｄ  切り込み溝
４０    内容物容器
４１    空間部
４２    丸み湾曲部
４３    環状屈曲部
４４    離間突起
５０    ポンプ
５５    分配板
５６    内容物供給孔
５７    分岐路
５７ａ  第１分岐路
５７ｂ  第２分岐路
６０    排出板
６１    係止部
６１ａ  係止突起
６１ｂ  係止溝
６３    排出孔
１００  詰め替え容器部
【図１】
0006934689.tif 000002
【図２】
0006934689.tif 000003
【図３】
0006934689.tif 000004
【図４】
0006934689.tif 000005
【図５】
0006934689.tif 000006
【図６】
0006934689.tif 000007
【図７】
0006934689.tif 000008
【図８】
0006934689.tif 000009
【図９】
0006934689.tif 000010
【図１０】
0006934689.tif 000011
【図１１】
0006934689.tif 000012
【図１２】
0006934689.tif 000013
【図１３】
0006934689.tif 000014
【図１４】
0006934689.tif 000015
【図１５】
0006934689.tif 000016
【図１６】
0006934689.tif 000017